(57)【要約】【課題】地図において、複数の表示文字が重複して表示される場合に運転者にとってより有意な表示を行う地図に係る情報を作成する地図作成装置を提供する。【解決手段】地図作成装置は、少なくとも車両の走行位置と走行時刻とを含む走行情報を複数受信する受信部と、走行情報に基づいて、地図上に表示する表示名称各々の優先度を設定する設定部とを備える。設定部は、例えば、複数の走行情報各々から特定される車両が走行した経路が通過した各都市について、車両が通過した回数を集計し、その回数に基づいて、都市名の表示の優先度を設定する。【選択図】図１
2018128587.tif 000002
【特許請求の範囲】
【請求項１】
地図情報に含まれる表示情報を含み得る他の情報から、前記表示情報を取得する取得部と、
前記取得部が取得した表示情報に基づいて、当該表示情報の優先度を設定する設定部とを備える地図作成装置。
【請求項２】
前記他の情報は、道路上に設置された複数の看板各々に関する情報であり、
前記表示情報は、都市名であり、
前記地図作成装置は、さらに、各都市名ごとに、前記複数の看板に表記されている個数を計数する計数部を備え、
前記設定部は、前記計数部が計数した個数に基づいて前記都市名各々の優先度を設定することを特徴とする請求項１に記載の地図作成装置。
【請求項３】
前記地図作成装置は、さらに、
道路をリンクで示し、道路と道路との接点をノードで示し、前記看板がどのリンクに対応付けられているかによって、各看板の設置位置を示す地図情報を記憶する記憶部と、
現在位置から目的位置までの経路を示す経路情報を受け付ける受付部と、
前記経路情報で示される経路上に含まれる看板を特定する特定部と、を備え、
前記取得部は、前記特定部が特定した看板に含まれる都市名を取得し、
前記計数部は、前記特定部が特定した看板から前記取得部が取得した都市名ごとにその個数を計数することを特徴とする請求項２に記載の地図作成装置。
【請求項４】
前記地図情報において、各看板は、対応するリンクにおいて車両が進行する進行方向毎に対応付けられている
ことを特徴とする請求項３に記載の地図作成装置。
【請求項５】
前記他の情報は、ＰＯＩ（Points of Interest）に関する情報であり、
前記表示情報は、都市名であり、
前記取得部は、各ＰＯＩの名称に都市名が含まれる場合に、その都市名を取得し、
前記地図作成装置は、さらに、各都市名ごとに、前記ＰＯＩの名称に含まれている個数を計数する計数部を備え、
前記設定部は、前記計数部が計数した個数に基づいて前記都市名各々の優先度を設定することを特徴とする請求項１に記載の地図作成装置。
【請求項６】
前記地図作成装置は、更に、
少なくとも走行位置の情報を含む走行情報を取得する走行情報取得部と、
前記走行情報で示される走行位置に基づいて特定される都市を特定する特定部と、
前記特定部が特定した都市名の重み値を決定する決定部と、
前記重み値に基づいて、前記設定部が設定した優先度を補正する補正部とを備えることを特徴とする請求項１〜５のいずれか１項に記載の地図作成装置。
【請求項７】
前記地図作成装置は、更に、
前記優先度に従って前記表示情報を重畳した前記地図情報を出力する出力部を備えることを特徴とする請求項１〜６のいずれか１項に記載の地図作成装置。
【請求項８】
地図情報に含まれる表示情報を含み得る他の情報から、前記表示情報を取得する取得ステップと、
前記取得ステップにおいて取得した表示情報に基づいて、当該表示情報の優先度を設定する設定ステップとを含む地図作成方法。
【請求項９】
前記他の情報は、道路上に設置された複数の看板各々に関する情報であり、
前記表示情報は、都市名であり、
前記地図作成方法は、さらに、各都市名ごとに、前記複数の看板に表記されている個数を計数する計数ステップを含み、
前記設定ステップは、前記計数ステップにおいて計数した個数に基づいて前記都市名各々の優先度を設定することを特徴とする請求項８に記載の地図作成方法。
【請求項１０】
前記地図作成方法は、さらに、
道路をリンクで示し、道路と道路との接点をノードで示し、前記看板がどのリンクに対応付けられているかによって、各看板の設置位置を示す地図情報を記憶する記憶ステップと、
現在位置から目的位置までの経路を示す経路情報を受け付ける受付ステップと、
前記経路情報で示される経路上に含まれる看板を特定する特定ステップと、を備え、
前記取得ステップは、前記特定ステップにおいて特定した看板に含まれる都市名を取得し、
前記計数ステップは、前記特定ステップにおいて特定した看板から前記取得ステップが取得した都市名ごとにその個数を計数することを特徴とする請求項９に記載の地図作成方法。
【請求項１１】
前記地図情報において、各看板は、対応するリンクにおいて車両が進行する進行方向毎に対応付けられている
ことを特徴とする請求項１０に記載の地図作成方法。
【請求項１２】
前記他の情報は、ＰＯＩ（Points of Interest）に関する情報であり、
前記表示情報は、都市名であり、
前記取得ステップは、各ＰＯＩの名称に都市名が含まれる場合に、その都市名を取得し、
前記地図作成方法は、さらに、各都市名ごとに、前記ＰＯＩの名称に含まれている個数を計数する計数ステップを含み、
前記設定ステップは、前記計数ステップにおいて計数した個数に基づいて前記都市名各々の優先度を設定することを特徴とする請求項８に記載の地図作成方法。
【請求項１３】
前記地図作成方法は、更に、
少なくとも走行位置の情報を含む走行情報を取得する走行情報取得ステップと、
前記走行情報で示される走行位置に基づいて特定される都市を特定する特定ステップと、
前記特定ステップが特定した都市名の重み値を決定する決定ステップと、
前記重み値に基づいて、前記設定ステップにおいて設定した優先度を補正する補正ステップとを備えることを特徴とする請求項８〜１２のいずれか１項に記載の地図作成方法。
【請求項１４】
前記地図作成方法は、更に、
前記優先度に従って前記表示情報を重畳した前記地図情報を出力する出力ステップを含むことを特徴とする請求項８〜１３のいずれか１項に記載の地図作成方法。
【請求項１５】
コンピュータに、
地図情報に含まれる表示情報を含み得る他の情報から、前記表示情報を取得する取得機能と、
前記取得機能が取得した表示情報に基づいて、当該表示情報の優先度を設定する設定機能とを実現させる地図作成プログラム。
【請求項１６】
前記他の情報は、道路上に設置された複数の看板各々に関する情報であり、
前記表示情報は、都市名であり、
前記地図作成プログラムは、さらに、各都市名ごとに、前記複数の看板に表記されている個数を計数する計数機能を備え、
前記設定機能は、前記計数機能が計数した個数に基づいて前記都市名各々の優先度を設定することを特徴とする請求項１５に記載の地図作成プログラム。
【請求項１７】
前記地図作成プログラムは、さらに、
道路をリンクで示し、道路と道路との接点をノードで示し、前記看板がどのリンクに対応付けられているかによって、各看板の設置位置を示す地図情報を記憶する記憶機能と、
現在位置から目的位置までの経路を示す経路情報を受け付ける受付機能と、
前記経路情報で示される経路上に含まれる看板を特定する特定機能と、を備え、
前記取得機能は、前記特定機能が特定した看板に含まれる都市名を取得し、
前記計数機能は、前記特定機能が特定した看板から前記取得機能が取得した都市名ごとにその個数を計数することを特徴とする請求項１６に記載の地図作成プログラム。
【請求項１８】
前記地図情報において、各看板は、対応するリンクにおいて車両が進行する進行方向毎に対応付けられている
ことを特徴とする請求項１７に記載の地図作成プログラム。
【請求項１９】
前記他の情報は、ＰＯＩ（Points of Interest）に関する情報であり、
前記表示情報は、都市名であり、
前記取得機能は、各ＰＯＩの名称に都市名が含まれる場合に、その都市名を取得し、
前記地図作成プログラムは、さらに、各都市名ごとに、前記ＰＯＩの名称に含まれている個数を計数する計数機能を実現させ、
前記設定機能は、前記計数機能が計数した個数に基づいて前記都市名各々の優先度を設定することを特徴とする請求項１５に記載の地図作成プログラム。
【請求項２０】
前記地図作成プログラムは、更に、
少なくとも走行位置の情報を含む走行情報を取得する走行情報取得機能と、
前記走行情報で示される走行位置に基づいて特定される都市を特定する特定機能と、
前記特定機能が特定した都市名の重み値を決定する決定機能と、
前記重み値に基づいて、前記設定機能が設定した優先度を補正する補正機能とを実現させることを特徴とする請求項１５〜１９のいずれか１項に記載の地図作成プログラム。
【請求項２１】
前記地図作成プログラムは、更に、
前記優先度に従って前記表示情報を重畳した前記地図情報を出力する出力機能を備えることを特徴とする請求項１５〜２０のいずれか１項に記載の地図作成プログラム。
【請求項２２】
請求項２１に記載の地図作成プログラムを記憶したコンピュータ読み取り可能な記録媒体。
【発明の詳細な説明】
【技術分野】
【０００１】
本発明は、地図に表示される表示対象の表示方法に関し、地図作成装置、地図作成方法及びそのプログラム、当該プログラムを記録した記録媒体に関する。
【背景技術】
【０００２】
従来、ナビゲーションシステムにおいて、表示される地図上には、道路形状の他にも様々な情報が表示されている。当該情報としては、例えば、都市の名称であったり、道路の名称であったり、ＰＯＩ（Point of Interest）の名称であったり、ＰＯＩのロゴマークであったりする。
【０００３】
特許文献１には、車両の進行方向に位置する地名を検索し、当該地名に対応付けられた重みの重い地名を基準値又は重要地として抽出して、表示する技術が開示されている。特許文献１における重みは、人口の多い順に決定されている。特許文献１においては、当該重みの重い地名は、カメラで取得した案内標識の意匠とともに表示している。
【先行技術文献】
【特許文献】
【０００４】
【特許文献１】特開２００９−１３３７０５号公報
【発明の概要】
【発明が解決しようとする課題】
【０００５】
ところで、上記特許文献１に記載の技術に従った情報の表示方法は、必ずしも運転者にとって所望する情報が表示されているとは限らないという問題があった。具体的には、人口に基づいて重み付けされた都市名がナビゲーション装置で表示される場合、例えば、方面看板が設置されている位置において方面看板に示される名称と一致するとは限らず運転者に戸惑いを与えるという問題があった。また、一般的に広く認識されている都市名と人口の多寡とは必ずしも相関関係を成すとは限らず、広く認識されている都市名であるにも関わらず人口が少なくて都市名が表示されない可能性があるという問題もあった。
【０００６】
そこで、本発明は、上述のような問題を解決するために、特許文献１とは異なった手法により、運転者にとって所望する情報が表示されやすくなる地図作成装置、地図作成方法及びそのプログラム、当該プログラムを記録した記録媒体を提供することを目的とする。
【課題を解決するための手段】
【０００７】
上記課題を解決するために、本発明の一態様に係る地図作成装置は、地図情報に含まれる表示情報を含み得る他の情報から、表示情報を取得する取得部と、取得部が取得した表示情報に基づいて、当該表示情報の優先度を設定する設定部とを備える。
【０００８】
上記課題を解決するために、本発明の一態様に係る地図作成方法は、地図情報に含まれる表示情報を含み得る他の情報から、表示情報を取得する取得ステップと、取得ステップにおいて取得した表示情報に基づいて、当該表示情報の優先度を設定する設定ステップとを含む。
【０００９】
上記課題を解決するために、本発明の一態様に係る地図作成プログラムは、コンピュータに、地図情報に含まれる表示情報を含み得る他の情報から、表示情報を取得する取得機能と、取得機能が取得した表示情報に基づいて、当該表示情報の優先度を設定する設定機能とを実現させる。
【００１０】
上記地図作成装置において、取得部は、他の情報として、道路上に設置された複数の看板各々に関する情報であり、表示情報は、都市名であり、地図作成装置は、さらに、各都市名ごとに、複数の看板に表記されている個数を計数する計数部を備え、設定部は、計数部が計数した個数に基づいて都市名各々の優先度を設定することとしてもよい。
【００１１】
上記地図作成装置において、地図作成装置は、さらに、道路をリンクで示し、道路と道路との接点をノードで示し、看板がどのリンクに対応付けられているかによって、各看板の設置位置を示す地図情報を記憶する記憶部と、現在位置から目的位置までの経路を示す経路情報を受け付ける受付部と、経路情報で示される経路上に含まれる看板を特定する特定部と、を備え、取得部は、特定部が特定した看板に含まれる都市名を取得し、計数部は、特定部が特定した看板から取得部が取得した都市名ごとにその個数を計数することとしてもよい。
【００１２】
上記地図作成装置において、地図情報において、各看板は、対応するリンクにおいて車両が進行する進行方向毎に対応付けられていることとしてもよい。
【００１３】
上記地図作成装置において、他の情報は、ＰＯＩ（Points of Interest）に関する情報であり、表示情報は、都市名であり、取得部は、各ＰＯＩの名称に都市名が含まれる場合に、その都市名を取得し、地図作成装置は、さらに、各都市名ごとに、ＰＯＩの名称に含まれている個数を計数する計数部を備え、設定部は、計数部が計数した個数に基づいて都市名各々の優先度を設定することとしてもよい。
【００１４】
上記地図作成装置において、地図作成装置は、更に、少なくとも走行位置の情報を含む走行情報を取得する走行情報取得部と、走行情報で示される走行位置に基づいて特定される都市を特定する特定部と、特定部が特定した都市名の重み値を決定する決定部と、重み値に基づいて、設定部が設定した優先度を補正する補正部とを備えることとしてもよい。
【００１５】
上記地図作成装置において、地図作成装置は、更に、優先度に従って表示情報を重畳した地図情報を出力する出力部を備えることとしてもよい。
【発明の効果】
【００１６】
本発明の一態様に係る地図作成装置は、道路上に配される方面看板や、地図情報にも関連するＰＯＩの情報など、地図に表示される表示情報とは異なる情報であって、地図に関連する他の情報を参照して、地図に表示される表示情報の優先度を設定することができる。運転に密接に関連する情報に基づいて、表示情報の優先度を設定するので、運転者にとって、所望の情報が表示されやすい地図に関連する情報を作成することができる。
【図面の簡単な説明】
【００１７】
【図１】地図作成装置の機能構成例を示すブロック図である。
【図２】優先度を設定するために利用する方面看板情報の一例であって、地図情報に含まれる表示情報を含み得る他の情報の例を示すデータ概念図である。
【図３】優先度を設定するために利用するＰＯＩ情報の一例であって、地図情報に含まれる表示情報を含み得る他の情報の例を示すデータ概念図である。
【図４】優先度設定情報の一例を示すデータ概念図である。
【図５】地図作成装置による優先度設定情報の作成方法例を示すフローチャートである。
【図６】地図作成装置による優先度設定情報の他の作成方法例を示すフローチャートである。
【図７】地図作成装置によるナビゲーションを行う際の動作例を示すフローチャートである。
【図８】地図作成装置の構成例を示すブロック図である。
【発明を実施するための形態】
【００１８】
以下、本発明の一実施態様に係る地図作成装置について、図面を参照しながら詳細に説明する。
【００１９】
＜実施の形態＞
＜構成＞
本発明の一態様に係る地図作成装置（図１の１００に相当）は、地図情報に含まれる表示情報を含み得る他の情報（図２の２００、図３の３００参照）から、前記表示情報を取得する取得部（図１の１０５に相当）と、取得部が取得した表示情報に基づいて、当該表示情報の優先度（図４の４００参照）を設定する設定部（図１の１０５に相当）とを備える。
【００２０】
図１は、地図作成装置１００の機能構成例を示すブロック図である。図１に示すように地図作成装置１００は、受信部１０１と、入力部１０２と、出力部１０３と、記憶部１０４と、ＣＰＵ１０５とを備える。地図作成装置１００は、ユーザに対して経路等を案内するナビゲーションシステムに用いる地図を作成するものであり、ナビゲーションの機能も有してよい。
【００２１】
受信部１０１は、外部の装置と通信を行って、少なくとも車両が走行した位置を示す走行位置と、その走行を行ったときの時刻である走行時刻とを示す走行情報としてプローブ情報を受信する機能を有する通信インターフェースである。受信部１０１は、外部の装置からプローブ情報を受信できれば、有線、無線のいずれで通信を行ってもよく、また、どのような通信プロトコルを用いることとしてもよい。また、受信部１０１は、地図上に表示する表示対象（文字（都市名や道路名など）や記号（ガソリンスタンドや店舗などのロゴ）等）の表示に係る優先度を設定するために用いる方面看板情報やＰＯＩ情報を受信することもできる。
【００２２】
入力部１０２は、地図作成装置１００のオペレータからの入力を受け付けて、ＣＰＵ１０５に伝達する機能を有する。入力部１０２は、例えば、地図上に表示する表示情報の表示優先順位の設定に関する情報の入力を受け付ける。また、地図作成装置１００は、ナビゲーションシステムとして動作する場合には、例えば、経路案内における目的地の入力を受け付ける。入力部１０２は、例えば、地図作成装置１００に備えられたハードウェアキーや、タッチキーなどのソフトキーなどにより実現することができる。
【００２３】
出力部１０３は、ＣＰＵ１０５からの指示に従って、指示されたデータを外部の装置に対して出力する機能を有する。出力部１０３は、例えば、ＣＰＵ１０５が生成した地図に重畳して表示する都市名の表示に係る優先度を示す優先度情報４００を、ナビゲーションシステム等の外部の装置に出力する通信インターフェースとして実現されてよい。また、出力部１０３は、地図作成装置１００がナビゲーションシステムとして動作する場合に、地図作成装置１００が設定した優先度に従って、各表示名を表示した地図を地図作成装置１００に備えられたモニター等に出力するものであってもよい。
【００２４】
記憶部１０４は、地図作成装置１００が動作するうえで必要とする各種のプログラム及び地図情報を含む各種のデータを記憶する記録媒体である。記憶部１０４は、例えば、ＨＤＤ（Hard Disc Drive）、ＳＳＤ（Solid State Drive）等により実現される。記憶部１０４は、方面看板に関する情報である方面看板情報２００や、ＰＯＩに関する情報であるＰＯＩ情報３００、地図作成装置１００が作成した表示名称各々の表示に係る優先度を設定した優先度情報４００を記憶する。方面看板情報２００やＰＯＩ情報３００、優先度情報４００の詳細については後述する。また、図示はしていないが、記憶部１０４は、地図情報を記憶する。当該地図情報は、各都市の範囲や、道路の位置などの情報を含む。
【００２５】
ＣＰＵ１０５は、記憶部１０４に記憶されているプログラム及び各種データを利用して、地図作成装置１００が実行すべき処理を実行するプロセッサである。ＣＰＵ１０５は、地図に重畳して表示する都市名や道路名各々に対して表示の優先度を、方面看板情報２００やＰＯＩ情報３００に含まれる情報に基づいて設定する設定部として機能する。また、ＣＰＵ１０５は、優先度または優先度を算出するための情報に対して、重み付けを行う補正部としても機能してもよい。
【００２６】
＜データ＞
図２は、地図作成装置１００が取得し、記憶部１０４に記憶される方面看板情報２００を説明するための図である。図２（ａ）は、方面看板の一具体例を示すものであり、図２（ｂ）は、方面看板情報２００の構成例を示すデータ概念図である。
【００２７】
図２（ａ）に示すように、方面看板は、車両の進行方向に対して、どの方角にどのような場所やどのような道路があるのかを、運転者等に認識させるためのものである。
【００２８】
図２（ａ）の方面看板の例で言えば、車両が前進すれば「Ａ市」、「Ｅ市」、「Ｆ海浜公園」に至ることを示唆している。また、右折すれば、「Ｈ街道」を通って、「Ｃ市」に至ることが示唆され、左折すれば、「Ｇ通り」を通って、「Ｂ市」や「Ｄ村」に至ることが理解できる。
【００２９】
図２（ａ）の方面看板からは、地図上において表示される表示対象（表示名称）に一致する表示名称として、「Ａ市」、「Ｂ市」、「Ｃ市」、「Ｄ村」、「Ｅ市」、「Ｆ海浜公園」、「Ｇ通り」、「Ｈ街道」が抽出できる。即ち、方面看板を、地図上において表示される表示名称であって、その表示名称を含む他の情報として扱うことができる。当該抽出は、ユーザが手動で行って地図作成装置１００に入力することとしてもよいし、地図作成装置１００が方面看板の画像情報を得て画像解析により取得することとしてもよい。
【００３０】
なお、地図上に表示される表示対象（都市名や道路名などの表示名称）を含み得る他の情報の一例としてここで方面看板を上げているが、これは方面看板に限らず、その他の広告用の看板やポスター等の広告媒体等であってもよい。
【００３１】
図２（ｂ）は、方面看板情報２００の一例である。方面看板情報２００は、各方面看板がどのような表示名称を含むのかを示す情報である。方面看板情報２００は、図２（ａ）に示したような方面看板一つ一つに関する情報の集合である。方面看板情報２００を構成する一行分の情報は、図２（ａ）に示すような一つの方面看板から抽出あるいは当該一つの方面看板についてオペレータが設定した情報である。図２（ｂ）に示すように、方面看板情報２００は、看板識別情報２０１と、設置位置２０２と、接続リンク２０３と、名称情報２０４とが対応付けられた情報である。
【００３２】
看板識別情報２０１は、方面看板を一意に特定するための情報であり、各方面看板と他の方面看板とを区別するための識別情報である。当該識別情報は、記号や文字列などで表現されてよいし、設置場所の名称等により表現されてもよい。
【００３３】
設置位置２０２は、対応する方面看板が設置されている場所を示す情報であり、経路及び緯度によって表される。なお、設置位置２０２は、本実施の形態においては、必須の情報ではない。
【００３４】
接続リンク２０３は、対応する方面看板がどの道路に沿って設置されているのかを示す情報であり、道路を一意に特定するための情報である。なお、交差点などに設置される場合などには、複数の道路の情報が、接続リンク２０３として対応付けられてもよい。
【００３５】
名称情報２０４は、対応する方面看板から抽出できる情報であって、ナビゲーションシステム等の地図において表示され得る名称のいずれかと一致する情報である。例えば、都市名や道路名、ＰＯＩの名称などが該当する。
【００３６】
地図作成装置１００は、図２（ｂ）に示す状態の方面看板情報２００を取得して記憶してもよいし、予め記憶部１０４に方面看板情報２００を記憶しておいてもよいし、図２（ａ）に示すような画像情報をその設置位置と接続リンクに関する情報とともに受信して、画像解析を行って方面看板情報２００を作成することとしてもよい。
【００３７】
図３は、記憶部１０４に記憶されている情報であって、地図上に表示される表示名称を含む他の情報としての一例であるＰＯＩ情報３００の一例を示すデータ概念図である。ＰＯＩ情報３００は、各種のＰＯＩに関する情報であり、その名称や位置、内容説明などの情報を含む。図３に示すように、ＰＯＩ情報３００は、少なくともＰＯＩ名称３０１と、ＰＯＩ位置３０２と、説明情報３０３とが対応付けられた情報である。
【００３８】
ＰＯＩ名称３０１は、各ＰＯＩに付された名称を示す情報である。ここで、表示名称を含む他の情報とは、ＰＯＩ名称３０１を指す。ＰＯＩ名称は、例えば、図３に示すように「Ａ市第一博物館」等に示されるように都市名を含んだり、「Ｇ通り商店街」等に示されるように道路名を含んだりすることがある。従って、地図上において表示される表示対象（都市名、道路名、ＰＯＩ名称など）の文字列を含み得ることが理解できる。ＰＯＩは、地図に密接に関連するものであり、その所在を明確にするためにも地図において利用される表示名称を含んだ名称を用いることも少なくない。ＰＯＩは地図に密接に関連することから、運転にも密接に関連する。即ち、知名度の高さを利用したり、その所在を分かりやすくしたりするためといった目的のために、ＰＯＩの名称として地図に用いられる表示名称を利用することが多いといえる。そのため、地図の表示名称の表示優先度を決定するにあたり、このＰＯＩ名称に含まれる表示名称を利用することができる。図３に示す「Ａ市第一博物館」であれば、表示名称としての「Ａ市」という都市名が抽出でき、「Ｇ通り商店街」であれば、「Ｇ通り」という道路名を抽出できる。
【００３９】
ＰＯＩ位置３０２は、対応するＰＯＩの所在を示す情報であり、ここでは、経度と緯度により表現される。本実施の形態において、ＰＯＩ位置３０２は、必須の情報ではない。
【００４０】
説明情報３０３は、対応するＰＯＩの内容を示す情報である。当該情報は、例えば、ナビゲーションシステム等においてＰＯＩを表示する際の説明文書として利用される。
【００４１】
ＰＯＩ情報３００は、地図作成装置１００が、優先度情報４００を作成する際に参照される。
【００４２】
図４は、地図作成装置１００が作成する優先度情報４００の構成例を示すデータ概念図である。優先度情報４００は、ナビゲーションシステム等において、地図上に表示する表示名称を表示する際の、各表示名称の表示優先度を定める情報である。図４に示すように、優先度情報４００は、表示名称４０１と、看板登場回数４０２と、看板依存優先度４０３と、ＰＯＩ登場回数４０４と、ＰＯＩ依存優先度４０５とが対応付けられた情報である。
【００４３】
表示名称４０１は、地図上において表示される表示名称を一意に特定するための情報であり、都市名、道路名、ＰＯＩ名などが該当する。異なる場所で同じ名称を用いている場合には、その位置情報などを対応付けて区別してもよい。
【００４４】
看板登場回数４０２は、各地に点在する方面看板において、対応する表示名称が登場した回数を計数した情報である。
【００４５】
看板依存優先度４０３は、看板登場回数４０２に示される回数に基づいて地図作成装置１００が設定する優先度であって、対応する表示名称を表示する際の表示優先度を示す情報である。
【００４６】
ＰＯＩ登場回数４０４は、ＰＯＩ情報３００のＰＯＩ名称として、対応する表示名称が登場した回数を計数した情報である。
【００４７】
ＰＯＩ依存優先度４０５は、ＰＯＩ登場回数４０４に示される回数に基づいて地図作成装置１００が設定する優先度であって、対応する表示名称を表示する際の表示優先度を示す情報である。
【００４８】
図４に示す優先度情報４００を、地図作成装置１００が作成し、ナビゲーションシステム等において参照することにより、地図上で複数の表示対象が互いに重複して表示される場合に、どの表示対象を優先して表示するかを決定することができる。
【００４９】
＜動作＞
ここから、地図作成装置１００の動作について説明する。図５は、地図作成装置１００が、優先度を設定する際の動作を示すフローチャートである。ここでは、看板依存優先度４０３及びＰＯＩ依存優先度４０５を設定する際の動作を示すフローチャートである。
【００５０】
地図作成装置１００のＣＰＵ１０５は、方面看板情報２００に示される各方面看板に対応付けられている名称情報２０４から、地図上での表示名称に一致する表示名称を取得する（ステップＳ５０１）。
【００５１】
ＣＰＵ１０５は、取得した各表示名称について、全ての方面看板で登場した登場回数を計数して、看板登場回数４０２を算出する（ステップＳ５０２）。例えば、方面看板Ｘから「Ａ市、Ｂ市、Ｃ市」が取得され、方面看板Ｙから「Ｂ市、Ｄ市、Ｇ通り」が取得され、方面看板Ｚから、「Ｂ市、Ｇ通り、Ｈ街道」が取得された場合に、「Ａ市：１回」、「Ｂ市：３回」、「Ｃ市：１回」、「Ｄ市：１回」、「Ｇ通り：２回」、「Ｈ街道：１回」が計数されることとなる。
【００５２】
ＣＰＵ１０５は、計数した登場回数に基づいて、各表示名称の看板依存優先度４０３を算出する（ステップＳ５０３）。即ち、ＣＰＵ１０５は、表示名称の方面看板における登場回数（看板登場回数４０２で示される回数）が多いほど、高い優先度を設定する。
【００５３】
ＣＰＵ１０５は、ＰＯＩ情報３００から、ＰＯＩ名称３０１を抽出し、各ＰＯＩ名称から、地図に用いられている表示名称を抽出する（ステップＳ５０４）。即ち、一例をあげれば、図３のＰＯＩ名称３０１から、「Ａ市第一博物館」、「Ｇ通り商店街」、…を抽出し、そこから、更に、「Ａ市」、「Ｇ通り」などの表示名称を抽出して取得する。
【００５４】
ＣＰＵ１０５は、取得した各表示名称各々について、ＰＯＩに登場する回数であるＰＯＩ登場回数４０４を計数する（ステップＳ５０５）。例えば、「Ａ市第一博物館」、「Ａ市動物園」、「Ａ市物産展」のＰＯＩがあった場合に、「Ａ市」という表示名称として「３回」が計数される。
【００５５】
ＣＰＵ１０５は、ＰＯＩ情報３００に登場した表示名称各々の登場回数に基づいて、各表示名称のＰＯＩ依存優先度を算出する（ステップＳ５０６）。即ち、ＣＰＵ１０５は、ＰＯＩ情報３００における登場回数（ＰＯＩ登場回数４０４で示される回数）が多いほど、高い優先度を設定して、処理を終了する。
【００５６】
このようにして、地図作成装置１００は、多数の方面看板に示される情報に基づいて、地図上で表示する表示名称各々の表示に係る優先度を設定することができる。また、優先度の他の例として、ＰＯＩ情報３００に示される説明情報３０３に基づいても表示名称の表示に係る優先度を設定することができる。即ち、説明情報３０３から表示名称を抽出して、抽出した表示名称の登場回数を集計し、その数に基づいて優先度を設定してもよい。このとき、表示名称の抽出は、構文解析により地図作成装置１００が行うこととしてもよいし、オペレータが行うこととしてもよい。なお、図５に示したステップＳ５０１〜Ｓ５０３の処理と、ステップＳ５０４〜Ｓ５０６の処理は、互いに並行に実行することとしてもよいし、その処理順が逆になってもよい。
【００５７】
図６は、地図作成装置１００が優先度を設定する際の動作であって、プローブ情報に基づいて重み付けを行う際の動作を示すフローチャートである。図６には、看板依存度優先度を設定する際の動作のみを説明するが、ＰＯＩ依存優先度についても同様に設定することができることは明らかであるので、プローブ情報により重み付けを行ったＰＯＩ依存優先度の算出動作については、割愛する。また、ステップＳ５０２までは、図５を用いて説明した動作と同様に、動作するので、その説明も割愛する。
【００５８】
図６において、受信部１０１は、外部の装置から、複数のプローブ情報を取得する（ステップＳ６０１）。プローブ情報は、各車両が走行した走行実績を示すものであり、少なくとも走行位置と走行日時の情報を含む。受信部１０１は、受信したプローブ情報をＣＰＵ１０５に伝達する。
【００５９】
ＣＰＵ１０５は、伝達された複数のプローブ情報各々に基づいて特定される経路から、どの都市、どの道路を通過したのかを特定する。そして、ＣＰＵ１０５は、各都市、各道路について、その通過した通過回数を計数する。ＣＰＵ１０５は、係数した通過回数に基づいて、各表示名称の重み値を決定する（ステップＳ６０２）。具体的には、通過回数が０の場合の基本となる重み値を１とし、そこから、通過回数が増加するごとに、重み値を大きくしていく。例えば、通過回数に所定の係数をかけた値に１を加算した値を重み値としてもよい。また、例えば、通過回数についての所定範囲の刻み幅毎に重み値を決定しておくことで重み値としてもよい。つまり、通過回数が１〜１００の間は、重み値は、１．１、１０１〜２００の間は、重み値は、１．２、２０１〜５００の間は、重み値は、１．４というように設定してもよい。
【００６０】
重み値を決定すると、ＣＰＵ１０５は、ステップＳ５０２において計数した各表示名称の登場回数に対して、対応する重み値を乗じる（ステップＳ６０３）。
【００６１】
ＣＰＵ１０５は、重み値を乗じた後の登場回数に基づいて、その登場回数が多いほど、表示名称の表示の際の優先度が高くなるように設定して（ステップＳ６０４）、処理を終了する。
【００６２】
図６に示すように、さらに、プローブ情報という、実際に車両が走行した走行実績を絡めて優先度を算出することで、運転者にとって、より好適な表示名称の表示を行うことができる。なお、プローブ情報を用いた登場回数の重み付けの手法はこれに限られない。例えば、各プローブ情報から、各都市や道路の通過頻度を算出して、重み値としてもよい。また、あるいは、一定以上の通過回数を有する都市あるいは道路に対して一定の重み値を加算することとしてもよい。
【００６３】
図７は、地図作成装置１００がナビゲーションを行う場合の動作例であって、地図作成装置１００が設定した優先度に従って表示を行う際の表示処理を示すフローチャートである。図７に示す処理は、繰り返し実行されるものとする。この場合、地図作成装置１００は、車両に搭載される。
【００６４】
地図作成装置１００の受信部１０１は、車両に備えられた測位システムから自車両の位置情報を取得する（ステップＳ７０１）。受信部１０１は、位置情報を取得すると、ＣＰＵ１０５に伝達する。ＣＰＵ１０５は、受信した位置情報を記憶部１０４に記憶する。なお、測位システムは、地図作成装置１００が備えていることとしてもよい。
【００６５】
ＣＰＵ１０５は、位置情報を受信すると、当該位置情報と、前回受信した位置情報とを比較して、前回の位置から移動したか否かを判定する（ステップＳ７０２）。車両が前回の位置から移動していない場合（ステップＳ７０２のＮＯ）、即ち、ステップＳ７０１で取得した位置情報と、前回の位置情報とが一致する場合には、処理を終了する。
【００６６】
一方、車両が前回の位置から移動していた場合（ステップＳ７０２のＹＥＳ）、即ち、ステップＳ７０１で取得した位置情報と、前回の位置情報とが一致しない場合には、ＣＰＵ１０５は、更新後の地図において二つの表示名称が互いに重複することになるか否かを判定する（ステップＳ７０３）。地図上における各種の表示名称は予め定められたアルゴリズムに従って表示されるため、地図の表示角度によっては、複数の表示名称が互いに重複することになる場合がある。各表示名称の表示座標はＣＰＵ１０５が定めるため、複数の表示名称が互いに重複するか否かは、当該表示座標に基づいて特定することができる。
【００６７】
更新後の地図において、いずれの表示名称も互いに重複しない場合には（ステップＳ７０３のＮＯ）、ステップＳ７０６に移行し、重複する場合には（ステップＳ７０３のＹＥＳ）、ＣＰＵ１０５は、優先度情報４００を参照して、互いに重複する表示名称各々の優先度（看板依存優先度又はＰＯＩ依存優先度）を参照して特定して比較する（ステップＳ７０４）。いずれの優先度を用いるかは、設定によって異なる。当該設定は、地図作成装置１００をナビゲーションシステムとして利用するユーザが決定することとしてもよい。そして、比較の結果、ＣＰＵ１０５は、優先度の高かった方の表示名称を表示対象とし、優先度が低かった方の表示名称を非表示対象に決定する（ステップＳ７０５）。
【００６８】
ＣＰＵ１０５は、地図情報を更新して、出力部１０３に出力させ（ステップＳ７０６）、処理を終了する。
【００６９】
このように、地図作成装置１００が作成した優先度情報４００を利用して、表示名称が重複する場合に、ナビゲーションを行うときに、いずれかの表示名称を優先して表示することができる。
【００７０】
＜まとめ＞
地図作成装置１００は、道路脇等に設置される方面看板の情報やＰＯＩ情報など、地図に密接に関連する情報に基づいて、地図上に表示される都市名や道路名などの表示対象の優先度を設定することができる。したがって、ナビゲーションシステム等において、複数の表示対象が重複する場合に、地図に密接に関連する情報、即ち、運転に密接に関連する情報に基づいて設定された優先度に従って、表示対象を表示することができるので、運転手にとって有益な表示を行うことができる。
【００７１】
＜補足＞
上記実施の形態に係る地図作成装置は、上記実施の形態に限定されるものではなく、他の手法により実現されてもよいことは言うまでもない。以下、各種変形例について説明する。
【００７２】
（１）上記実施の形態において地図作成装置１００は、看板依存優先度４０３とＰＯＩ依存優先度４０５とを分けて優先度を設定することとしたが、地図作成装置１００は、看板登場回数と、ＰＯＩ登場回数とを、統合（加算）して、統合後の回数に基づいて優先度を設定することとしてもよい。また、統合後の回数に対して、プローブ情報による重み付けを行ったうえで、優先度を設定することとしてもよい。
【００７３】
（２）上記実施の形態において地図作成装置１００は、ＰＯＩ依存優先度４０５を算出するにあたって、ＰＯＩ名称３０１からだけでなく、その説明情報３０３からも表示名称を抽出して、その数を計数することとしてもよい。
【００７４】
（３）上記実施の形態においては、優先度情報４００を作成する際に、プローブ情報による重み付けを行うこととしたが、これは、経路案内を行う段階において実行することとしてもよい。
【００７５】
即ち、地図作成装置１００がナビゲーションシステムとしても機能する場合、まず、ユーザから目的地の入力を受け付けて、経路案内を実行する。このとき、地図作成装置１００は、策定した経路について、方面看板情報２００の接続リンク２０３を参照して、経路上に存在する方面看板を特定する。そして、ＣＰＵ１０５は、特定した方面看板から、名称情報２０４を抽出する。そして、特定した方面看板に対応した名称情報２０４のみから、各表示名称についての登場回数を計数し、計数した登場回数に基づいて優先度を設定し、その経路を通過する際の表示優先度としてもよい。
【００７６】
なお、このとき、方面看板がどの進行方向に対する看板であるかを特定できれば、その進行方向において有効となる方面看板（探索した経路を車両が走行する場合に見ることができる看板）の情報のみを用いることとしてもよい。本構成は、例えば、接続リンクが、道路の車両の進行方向ごとに設定されていれば実現することができるし、接続リンクが車両の進行方向に関わりなく１つの道路として表現される場合であっても、方面看板の接続リンクに対する接続方向の情報が対応付けられることによって実現することもできる。
【００７７】
なお、ここでは、地図作成装置１００は、自身で経路を策定することとしたが、経路情報を受け付けて、上述の優先度設定を行うこととしてもよい。
【００７８】
（４）上記実施の形態においては、優先度を算出するための元の情報、即ち、登場回数に重み付けを行う例を示したが、これは、優先度そのものに対して重み付けを行うこととしてもよい。この場合、優先度を示す数値に対して、重み値を乗じたり、加算したりすることとしてよい。
【００７９】
（５）また、上記実施の形態においては、地図作成装置における地図作成する手法として、装置のプロセッサが地図作成プログラム等を実行することにより、地図作成することとしているが、これは装置に集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。すなわち、図８に示すように、地図作成装置１００は、受信回路１０１ａ、入力回路１０２ａ、出力回路１０３ａ、記憶回路１０４ａ、制御回路１０５ａとから構成されてよく、それぞれ、受信部１０１、入力部１０２、出力部１０３、記憶部１０４、ＣＰＵ１０５に相当する。
【００８０】
また、上記地図作成プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記地図作成プログラムは、当該地図作成プログラムを伝送可能な任意の伝送媒体（通信ネットワークや放送波等）を介して上記プロセッサに供給されてもよい。本発明は、上記地図作成プログラムが電子的な伝送によって具現化された、搬送波に埋め込まれたデータ信号の形態でも実現され得る。
【００８１】
なお、上記地図作成プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【００８２】
（６）上記実施の形態に示した各種の実施例や、＜補足＞に示した各種の例は適宜組み合わせることとしてもよい。また、各フローチャートに示した各動作は、結果として矛盾がなければその実行順序を入れ替えたり、並列に実行したりすることとしてもよい。
【符号の説明】
【００８３】
１００  地図作成装置
１０１  受信部
１０２  入力部
１０３  出力部
１０４  記憶部
１０５  ＣＰＵ（取得部、設定部、補正部）
【図１】
2018128587.tif 000003
【図２】
2018128587.tif 000004
【図３】
2018128587.tif 000005
【図４】
2018128587.tif 000006
【図５】
2018128587.tif 000007
【図６】
2018128587.tif 000008
【図７】
2018128587.tif 000009
【図８】
2018128587.tif 000010